(57)【要約】【課題】この発明は、ブラシ摩耗粉によるブラシモータとコンプレッサハウジングとの間の漏電の発生を防止することができるコンプレッサを提供することを課題とする。【解決手段】直流ブラシモータ３の駆動に伴って発生したブラシ摩耗粉はロータ４の回転に伴って発生する旋回流により搬送されて飛散防止蓋１４の各貫通孔１４ａから収容部１３内に導入され、ここに収容される。すなわち、ブラシ摩耗粉は直流ブラシモータ３から離れた場所に収容され、このブラシ摩耗粉がモータ部１ｂのコンプレッサハウジング１の内周面上に堆積することが防止されるため、直流ブラシモータ３に電流を流したときにブラシ摩耗粉を介して直流ブラシモータ３とコンプレッサハウジング１との間で漏電が発生することが防止される。【選択図】        図１
2005069006.tif 000002
【特許請求の範囲】
【請求項１】
コンプレッサハウジング内に駆動用のブラシモータを内蔵したコンプレッサにおいて、
コンプレッサハウジングは、ブラシモータから発生するブラシ摩耗粉をブラシモータから離して収容するための収容部を備え、この収容部内にブラシ摩耗粉が収容されることによりブラシモータに電流を流したときにブラシ摩耗粉を介してブラシモータとコンプレッサハウジングとの間で漏電が発生することを防止することを特徴とするコンプレッサ。
【請求項２】
前記収容部は、コンプレッサハウジング内を臨む面にブラシ摩耗粉を通す少なくとも１つの貫通孔が形成された飛散防止蓋を有することを特徴とする請求項１に記載のコンプレッサ。
【請求項３】
コンプレッサハウジングは筒形状を有し、前記収容部はコンプレッサハウジングの外周部におけるブラシモータの下方に配置されることを特徴とする請求項１または２に記載のコンプレッサ。
【発明の詳細な説明】
【０００１】
【発明の属する技術分野】
この発明は、コンプレッサに係り、特にハウジング内に駆動用のブラシモータを内蔵したコンプレッサに関する。
【０００２】
【従来の技術】
近年、車両等に搭載されるコンプレッサでは、小型化等を目的としてコンプレッサハウジング内に駆動用のモータを内蔵したものが開発されている。このようなコンプレッサの駆動用モータとして、直流ブラシモータ等のブラシ型のモータを使用すると、モータの駆動に伴ってブラシから摩耗粉が発生することとなる。このブラシ摩耗粉は導電性を有するため、コンプレッサハウジングの内面上に堆積すると、ブラシ摩耗粉を介してブラシモータとコンプレッサハウジングとの間で漏電が発生する虞が生じてしまう。
【０００３】
特許文献１には、ブラシ摩耗粉が鉄製のモータフレームに堆積することによる絶縁劣化を防止すると共にブラシ間短絡線の飛び出しを防ぐために樹脂等から形成されるブラシホルダーカバーをブラシホルダーとモータフレームとの間に配置した直流ブラシモータが開示されている。しかしながら、このような直流ブラシモータをコンプレッサの駆動用モータとして使用しても、モータの駆動に伴って発生したブラシ摩耗粉がコンプレッサハウジング内の各所に堆積されると、漏電発生の虞を除去することはできない。
【０００４】
【特許文献１】
特開平１１−１４６５９５号公報
【０００５】
【発明が解決しようとする課題】
このようにコンプレッサハウジング内に駆動用のブラシモータを内蔵したコンプレッサでは、堆積したブラシ摩耗粉を介してブラシモータとコンプレッサハウジングとの間で漏電が発生する虞がある。
この発明はこのような問題点を解消するためになされたもので、ブラシ摩耗粉によるブラシモータとコンプレッサハウジングとの間の漏電の発生を防止することができるコンプレッサを提供することを目的とする。
【０００６】
【課題を解決するための手段】
この発明に係るコンプレッサは、コンプレッサハウジング内に駆動用のブラシモータを内蔵したコンプレッサにおいて、コンプレッサハウジングは、ブラシモータから発生するブラシ摩耗粉をブラシモータから離して収容するための収容部を備え、この収容部内にブラシ摩耗粉が収容されることによりブラシモータに電流を流したときにブラシ摩耗粉を介してブラシモータとコンプレッサハウジングとの間で漏電が発生することを防止するものである。
このような構成にすれば、ブラシ摩耗粉がブラシモータから離れた場所に収容され、このブラシ摩耗粉がハウジングの内周面上に堆積することが防止されるため、ブラシ摩耗粉によるブラシモータとコンプレッサハウジングとの間での漏電の発生を防止することができる。
【０００７】
収容部は、コンプレッサハウジング内を臨む面にブラシ摩耗粉を通す少なくとも１つの貫通孔が形成された飛散防止蓋を有することが好ましい。
このような構成にすれば、収容部内に一旦収容されたブラシ摩耗粉がブラシモータの駆動に伴って発生する旋回流により収容部からコンプレッサハウジング内へ再び飛散することを防止することができる。
また、コンプレッサハウジングは筒形状を有し、収容部はコンプレッサハウジングの外周部におけるブラシモータの下方に配置されることが好ましい。
収容部がブラシモータの下方に配置されると、自重により落下するブラシ摩耗粉がそのまま収容部内に収容され、これによりブラシ摩耗粉を収容部内に効率よく収容することができる。
【０００８】
【発明の実施の形態】
以下、この発明の実施の形態を添付図面に基づいて説明する。
図１に、この発明の実施の形態に係るコンプレッサの全体構成を示す。このコンプレッサは、ほぼ円筒状のコンプレッサハウジング１を有している。コンプレッサハウジング１は、コンプレッサ機能部１ａとモータ部１ｂとからなっており、コンプレッサ機能部１ａにコンプレッサ本体２が組み付けられると共にモータ部１ｂにコンプレッサ本体２を駆動するための直流ブラシモータ３が内蔵されている。
ここで、コンプレッサ機能部１ａ側をコンプレッサの前側とし、モータ部１ｂ側をコンプレッサの後側とする。なお、コンプレッサ本体２はその前端部に吸入口２ａと図示されない吐出口とを有している。
【０００９】
直流ブラシモータ３は、モータ部１ｂのコンプレッサハウジング１に回転自在に取り付けられたロータ４を有している。ロータ４は、その前端部がコンプレッサ本体２内部の回転部に接続されると共に、その側方すなわち径方向に突出した部分に巻回されたコイル５を有している。また、ロータ４の後部にはその外周に沿って整流子６が固定されており、整流子６はロータ４と共に回転するようになっている。
【００１０】
一方、モータ部１ｂのコンプレッサハウジング１の内周面には、環状のヨーク部材７が取り付けられており、ヨーク部材７の前側段部の内周面上にはロータ５の外周面に対向するように磁石からなるステータ８が固定されている。また、ヨーク部材７の後側段部の内周側には、複数のブラシ装置９が周方向に沿って所定の間隔を隔てて配置されており、各ブラシ装置９のブラシ１０は整流子６の外周面に当接するようにバネ１１により整流子６の軸心、すなわちロータ４の軸心に向かって付勢されている。また、各ブラシ装置９はコンプレッサハウジング１外部の電源１２に接続されており、このブラシ装置９のブラシ１０を介して電源１２から整流子６に給電が行なわれるようになっている。
【００１１】
また、モータ部１ｂのコンプレッサハウジング１の外周部には、直流ブラシモータ３から発生するブラシ摩耗粉をこのモータ３から離して収容するための収容部１３が形成されており、この収容部１３は直流ブラシモータ３の下方に位置している。また、収容部１３のコンプレッサハウジング１内を臨む面には、ブラシ摩耗粉を通す複数の貫通孔１４ａが形成された飛散防止蓋１４が配置されており、この飛散防止蓋１４がモータ部１ｂのコンプレッサハウジング１の内周面の一部を形成している。
ここで、コンプレッサハウジング１の下側に位置するブラシ装置９の下方においては、ヨーク部材７の後側段部が切り欠かれており、ここに飛散防止蓋１４の貫通孔１４ａのうちの一つが配置されている。
【００１２】
次に、この実施の形態に係るコンプレッサの作用について説明する。電源１２から直流ブラシモータ３の各ブラシ装置９に給電すると、各ブラシ装置９のブラシ１０から整流子６を介してロータ４のコイル５に電流が流れ、これによりロータ４がステータ８に対して回転してコンプレッサ本体２が駆動される。
このとき、直流ブラシモータ３の駆動に伴って各ブラシ装置９のブラシ１０から導電性を有する摩耗粉が発生する。このブラシ摩耗粉は、例えば、ロータ４やステータ８の隙間を通ってモータ部１ｂのコンプレッサハウジング１の内周面全体に堆積しようとするが、モータ部１ｂのコンプレッサハウジング１の外周部に収容部１３が形成されているため、ブラシ摩耗粉はロータ４の回転に伴って発生する旋回流により搬送されて飛散防止蓋１４の各貫通孔１４ａから収容部１３内に導入され、ここに収容される。すなわち、ブラシ摩耗粉は直流ブラシモータ３から離れた場所に収容され、このブラシ摩耗粉がモータ部１ｂのコンプレッサハウジング１の内周面上に堆積することが防止されるため、直流ブラシモータ３に電流を流したときにブラシ摩耗粉を介して直流ブラシモータ３とコンプレッサハウジング１との間で漏電が発生することが防止される。
【００１３】
また、収容部１３がモータ部１ｂのコンプレッサハウジング１における直流ブラシモータ３の下方に位置しているため、ロータ４の回転停止時に自重により落下するブラシ摩耗粉もそのまま飛散防止蓋１４の各貫通孔１４ａを通って収容部１３内に収容され、これによりブラシ摩耗粉を収容部１３内に効率よく収容することができる。
さらに、収容部１３に飛散防止蓋１４が配置されていることから、収容部１３内に一旦収容されたブラシ摩耗粉がロータ４の回転に伴って発生する旋回流により収容部１３からコンプレッサハウジング１内へ再び飛散することが防止される。
【００１４】
なお、上述の実施の形態では、コンプレッサ本体２が直流ブラシモータ３により駆動されるようになっていたが、コンプレッサ本体２内の回転部に接続されているロータ４の後端部にエンジンを接続して、直流ブラシモータ３だけでなくエンジンでもコンプレッサ本体２を駆動し得るようにしてもよい、すなわち、本発明のコンプレッサをハイブリッド車等に搭載することができる。ここで、ハイブリッド車にあっては１００Ｖ以上の高い電源電圧を使用する車両も多く見られるため、上述のようにブラシ摩耗粉を収容部１３内に収容して直流ブラシモータ３とコンプレッサハウジング１との間の漏電の発生を防止することにより、高い安全性を確保することができる。
【００１５】
また収容部１３は、直流ブラシモータ３の下方に配置されることに限定されず、モータ部１ｂのコンプレッサハウジング１の外周部の周方向のどの部分に配置されてもよい。また、モータ部１ｂのコンプレッサハウジング１の外周部の周方向に沿って複数の収容部１３を所定の間隔を隔てて配置してもよい。さらに、コンプレッサハウジング１の外周部の周方向全体に亙って１つの環状の収容部が形成されていてもよい。
【００１６】
また、上述の実施の形態では、飛散防止蓋１４に複数の貫通孔１４ａが形成されていたが、その代わりに、１つの貫通孔が形成されていてもよい。また、貫通孔は、ブラシ摩耗粉を通すと共に収容部１３内に一旦収容されたブラシ摩耗粉がロータ４回転時にコンプレッサハウジング１内へ再び飛散することを防止できればどのような形状及び大きさに形成されてもよい。また、ロータ４の回転に伴って発生する旋回流によりブラシ摩耗粉が収容部１３内へ効率よく導入されるように、貫通孔１４ａは飛散防止蓋１４においてロータ４の回転方向の下流側に形成されることが好ましい。
【００１７】
また、直流ブラシモータ３の下方に収容部１３が配置されている場合には、飛散防止蓋１４を設けなくてもロータ４の回転停止時にブラシ摩耗粉がその自重により落下して収容部１３内に収容されるため、ブラシ摩耗粉によるコンプレッサハウジング１と直流ブラシモータ３との間の漏電発生を防止することができるが、上述の実施の形態のように、収容部１３に飛散防止蓋１４を配置すれば、収容部１３内に一旦収容されたブラシ摩耗粉のコンプレッサハウジング１内への飛散も防止することができ、より好ましい。
【００１８】
なお、直流ブラシモータ３の外面、ヨーク部材７の内周面、飛散防止蓋１４のコンプレッサハウジング１内に対向する面、及びモータ部１ｂのコンプレッサハウジング１内に位置するコンプレッサ本体２の表面全面等が、電着塗装により形成される樹脂製の絶縁膜、或いは絶縁フィルムにより覆われていることが好ましい。この絶縁フィルムとしては、ＰＥＴ、ＰＥＮ、ＰＩ、ＰＥＩ及びＰＰＳ等の樹脂からなるフィルムを使用することができ、このフィルムを成形して接着剤等により貼り付ける、またはフィルムをそのまま被せる等して覆うことができる。
【００１９】
なお、上述の実施の形態のコンプレッサは、スクロール式のコンプレッサや、その他各種のコンプレッサに適用することができる。
また、ほぼ円筒状のコンプレッサハウジング１に限定されず、ブラシ摩耗粉を直流ブラシモータ３から離して収容する収容部１３が設けられていれば、その他の形状を有するコンプレッサハウジングを用いることができる。
【００２０】
【発明の効果】
以上説明したように、この発明によれば、コンプレッサハウジングは、ブラシモータから発生するブラシ摩耗粉をブラシモータから離して収容するための収容部を備え、この収容部内にブラシ摩耗粉が収容されることによりブラシモータに電流を流したときにブラシ摩耗粉を介してブラシモータとコンプレッサハウジングとの間で漏電が発生することを防止するようにしたので、ブラシ摩耗粉によるブラシモータとコンプレッサハウジングとの間の漏電の発生を防止することができるコンプレッサを実現することができる。
【図面の簡単な説明】
【図１】この発明の実施の形態に係るコンプレッサの全体構成を示す一部破断断面図である。
【符号の説明】
１  コンプレッサハウジング、１ａ  コンプレッサ機能部、１ｂ  モータ部、２  コンプレッサ本体、３  直流ブラシモータ、４  ロータ、５  コイル、６  整流子、７  ヨーク部材、８  ステータ、９  ブラシ装置、１０  ブラシ、１１
バネ、１２  電源、１３  収容部、１４  飛散防止蓋、１４ａ  貫通孔。
【図１】
2005069006.tif 000003